(57)【要約】【課題】より簡単な作業で、希望する編集結果を得られるようにすることができる。【解決手段】スタンプ画像選択部２１４には、スタンプ画像が表示されたボタンが並んで表示され、そのボタンをタッチペン８２で操作することができる。タッチペン８２でスタンプ画像選択部２１４のボタンが操作されると、このスタンプ画像がいま選択されていることを示す選択枠２１４Ａが表示される。また、いま選択されているスタンプ画像が表示されているスタンプ画像選択部２１４のボタンへの操作は反転操作とされ、その操作前のスタンプ画像が左右反転される。本発明は、利用者の画像をシール紙に印刷して提供する写真シール作成装置に適用することができる。【選択図】図２７
2011166799.tif 000002
【特許請求の範囲】
【請求項１】
撮影作業と、前記撮影作業により得られた画像の編集作業とを利用者に行わせ、前記編集作業により得られた編集済みの画像を印刷して提供する写真作成装置において、
前記撮影作業により得られた画像のうちの、編集対象となる編集対象画像を表示する編集対象画像表示手段と、
編集に用いる編集用画像を複数有し、所望の前記編集用画像を選択させるための選択部を表示する選択部表示手段と、
前記選択部において、所定の前記編集用画像の選択、又は、選択された前記編集用画像の反転若しくは回転を指示するとともに、前記編集用画像を合成する前記編集対象画像上の位置を指示する指示手段と、
前記指示手段により指示された前記編集対象画像上の前記位置に、選択、反転、又は回転された前記編集用画像を表示する編集用画像表示手段と、
前記編集対象画像上の指示された前記位置に前記編集用画像を合成して得られる前記編集済み画像を生成する生成手段と
を備える写真作成装置。
【請求項２】
前記編集用画像表示手段は、前記反転又は回転の指示がされた前記編集用画像のみを、前記第１の選択部において反転又は回転して表示する
請求項１に記載の写真作成装置。
【請求項３】
撮影作業と、前記撮影作業により得られた画像の編集作業とを利用者に行わせ、前記編集作業により得られた編集済みの画像を印刷して提供する写真作成方法において、
前記撮影作業により得られた画像のうちの、編集対象となる編集対象画像を表示する編集対象画像表示ステップと、
編集に用いる編集用画像を複数有し、所望の前記編集用画像を選択させるための選択部を表示する選択部表示ステップと、
前記選択部において、所定の前記編集用画像の選択、又は、選択された前記編集用画像の反転若しくは回転を指示するとともに、前記編集用画像を合成する前記編集対象画像上の位置を指示する指示ステップと、
前記指示ステップの処理で指示された前記編集対象画像上の前記位置に、選択、反転、又は回転された前記編集用画像を表示する編集用画像表示ステップと、
前記編集対象画像上の指示された前記位置に前記編集用画像を合成して得られる前記編集済み画像を生成する生成ステップと
を含む写真作成方法。
【発明の詳細な説明】
【技術分野】
【０００１】
本発明は、特に、より簡単な作業で、希望する編集結果を得られるようにすることができるようにした写真作成装置および方法に関する。
【背景技術】
【０００２】
図１は、コイン等の対価を投入することで、利用者の写真を撮像し、撮像された画像を、予め記憶されている画像であって利用者が選択した画像で編集した写真をプリントする写真販売機の編集時に表示される編集画面１の例を示している。
【０００３】
この編集画面１のサムネイル画像表示部１１には、編集対象の画像の候補となる撮像画像がサムネイル表示され、その画像を例えばタッチペン等で操作することで、編集対象画像を選択することができる。
【０００４】
編集対象画像表示部１２には、利用者による操作によりサムネイル画像表示部１１に表示された画像から選択された画像が編集対象画像として表示される。
【０００５】
編集ツール選択部１３には、ペン、スタンプ、およびフレーム等の各種の編集ツールを選択するときに操作されるボタンが表示される。
【０００６】
パレット１４には、編集ツール選択部１３に表示されたボタンを操作することで選択された編集ツールでの編集内容に応じた画像を選択するボタンが並べて表示される。図１の例では、スタンプツールで編集を行う場合のスタンプ画像を選択するための各種ボタンが表示されている。具体的には、「笑顔」、「ハート」、[星]、「水滴」、「十字架」、「ひし形」の６種類のスタンプ画像について、３種類の大きさのスタンプ画像が表示されたボタンが表示されている。
【０００７】
消しゴムボタン１５は、例えば編集対象画像表示部１２に表示された画像の絵柄を修正するときに操作させるボタンである。
【０００８】
やり直しボタン１６は、例えばいま行った編集（例えばスタンプ画像の選択）を取り消すときに操作されるボタンである。
【０００９】
はじめからやり直しボタン１７は、例えばいままで行ったすべての編集を最初から取り消すときに操作されるボタンである。
【００１０】
次に、この編集画面１における編集作業を具体的に説明する。なおここではスタンプツールで編集を行うものとし、パレット１４には、図１に示すように、スタンプ画像を選択するためのボタンが表示されている。
【００１１】
利用者は、図２に示すように、タッチペン２１で、パレット１４上の所定のボタンを操作して、所望のスタンプ画像（図２の例では、「笑顔」のスタンプ画像）を選択する。そして利用者は、図３に示すように、編集対象画像表示部１２に表示されている編集対象画像上の所望の位置（図３の例では、右上の位置）を指定する。この作業により、選択した「笑顔」のスタンプ画像が、編集対象画像上の指定した位置に貼り付けられた画像が編集済み画像として得られ、それがプリントされる（特許文献１参照）。
【００１２】
このようにして利用者は、撮像した画像に自分の好みにあった画像を所望の位置に貼り付ける編集を行うことができる。
【００１３】
また図１乃至図３の例では、複数のデザイン（６種類のデザイン）の複数のサイズ（３種類のサイズ）のスタンプ画像がパレット１４上に表示されていたが、デザインが多数あるため、利用者が多数のデザインを限られた画面のスペースで見られるようにデザインが異なるスタンプ画像だけが表示され、そのサイズ、輪郭の太さ、色等の変更については、所定の変更ボタンをタッチペン２１等で押し続けることにより変化させることができる方法も提案されている（特許文献２参照）。
【００１４】
ところで、図１乃至図３の例では、上述したように、一度編集対象画像上にスタンプ画像を貼り付けてからでないと（図３）、スタンプ画像と編集対象画像との重なり具合（風合い）を確認することができないので、スタンプ画像と編集対象画像との重なり具合がイメージと異なる場合がある。
【００１５】
イメージと異なりスタンプ画像の貼り付けをやり直したい場合、図４に示すように、やり直しボタン１６を選択し、いま行った編集を取り消して、再度新たな編集を行わなければならない。
【００１６】
また変更ボタンを押し続けてサイズ等を変更させる場合では、タッチペン２１を離すタイミングでサイズ等が決定されるので、特にはじめてこの装置を利用する利用者は、タッチペン２１を離すタイミングを誤ってしまい、スタンプ画像がイメージと異なるものとなってしまう場合がある。
【００１７】
この場合においもてやり直しボタン１６を操作して、いま行った編集を取り消して、再度新たな編集を行う必要がある。
【００１８】
このように従来の編集方法では、利用者がほしい編集結果を得られない場合があり、またその場合、やり直し等の操作をしてその編集を取り消す必要があるなど、編集作業に利用者が手間取る場合があった。
【００１９】
一般的に装置を利用できる時間は限られ、利用者は撮影よりも（例えばいろんなポーズをとって撮影することよりも）、編集に時間を費やす傾向になるので、編集作業をスムーズに行えるようにし、編集作業の時間を短縮することは重要である。
【先行技術文献】
【特許文献】
【００２０】
【特許文献１】特開２００４−２２９０２３号公報
【特許文献２】特開２００４−１５３６１３号公報
【発明の概要】
【発明が解決しようとする課題】
【００２１】
本発明はこのような状況に鑑みてなされたものであり、より簡単な作業で、希望する編集結果を得られるようにすることができるようにするものである。
【課題を解決するための手段】
【００２２】
本発明の一側面の写真作成装置は、撮影作業と、前記撮影作業により得られた画像の編集作業とを利用者に行わせ、前記編集作業により得られた編集済みの画像を印刷して提供する写真作成装置において、前記撮影作業により得られた画像のうちの、編集対象となる編集対象画像を表示する編集対象画像表示手段と、編集に用いる編集用画像を複数有し、所望の前記編集用画像を選択させるための選択部を表示する選択部表示手段と、前記選択部において、所定の前記編集用画像の選択、又は、選択された前記編集用画像の反転若しくは回転を指示するとともに、前記編集用画像を合成する前記編集対象画像上の位置を指示する指示手段と、前記指示手段により指示された前記編集対象画像上の前記位置に、選択、反転、又は回転された前記編集用画像を表示する編集用画像表示手段と、前記編集対象画像上の指示された前記位置に前記編集用画像を合成して得られる前記編集済み画像を生成する生成手段とを備えることを特徴とする。
【００２３】
前記編集用画像表示手段には、前記反転又は回転の指示がされた前記編集用画像のみを、前記第１の選択部において反転又は回転して表示させることができる。
【００２４】
本発明の一側面の写真作成方法は、撮影作業と、前記撮影作業により得られた画像の編集作業とを利用者に行わせ、前記編集作業により得られた編集済みの画像を印刷して提供する写真作成方法において、前記撮影作業により得られた画像のうちの、編集対象となる編集対象画像を表示する編集対象画像表示ステップと、編集に用いる編集用画像を複数有し、所望の前記編集用画像を選択させるための選択部を表示する選択部表示ステップと、前記選択部において、所定の前記編集用画像の選択、又は、選択された前記編集用画像の反転若しくは回転を指示するとともに、前記編集用画像を合成する前記編集対象画像上の位置を指示する指示ステップと、前記指示ステップの処理で指示された前記編集対象画像上の前記位置に、選択、反転、又は回転された前記編集用画像を表示する編集用画像表示ステップと、前記編集対象画像上の指示された前記位置に前記編集用画像を合成して得られる前記編集済み画像を生成する生成ステップとを含むことを特徴とする。
【００２５】
本発明の一側面の写真作成装置および方法においては、撮影作業により得られた画像のうちの、編集対象となる編集対象画像が表示され、編集に用いる編集用画像を複数有し、所望の編集用画像を選択させるための選択部が表示され、選択部において、所定の編集用画像の選択、又は、選択された編集用画像の反転若しくは回転が指示されるとともに、編集用画像を合成する編集対象画像上の位置が指示され、指示された編集対象画像上の位置に、選択、反転、又は回転された編集用画像が表示され、編集対象画像上の指示された位置に編集用画像を合成して得られる編集済み画像が生成される。
【００２６】
これにより、反転または回転表示された編集用画像を編集対象画像上の所定の位置に合成した編集済み画像を得ることができる。
【発明の効果】
【００２７】
本発明の一側面によれば、より簡単な作業で、希望する編集結果を得られるようにすることができる。
【図面の簡単な説明】
【００２８】
【図１】従来の写真販売機の編集時に表示される編集画面の例を示す図である。
【図２】従来の写真販売機の編集時に表示される他の編集画面の例を示す図である。
【図３】従来の写真販売機の編集時に表示される他の編集画面の例を示す図である。
【図４】従来の写真販売機の編集時に表示される他の編集画面の例を示す図である。
【図５】本発明の一実施形態に係る写真シール作成装置の外観構成例を示す斜視図である。
【図６】本発明の一実施形態に係る写真シール作成装置の外観構成例を示す他の斜視図である。
【図７】利用者の流れについて説明する図である。
【図８】写真シール作成装置の内部の構成例を示すブロック図である。
【図９】編集処理を説明するフローチャートである。
【図１０】図９のステップＳ２において行われる編集処理について説明するフローチャートである。
【図１１】編集画面の例を示す図である。
【図１２】編集画面の他の例を示す図である。
【図１３】編集画面の他の例を示す図である。
【図１４】編集画面の他の例を示す図である。
【図１５】編集画面の他の例を示す図である。
【図１６】編集画面の他の例を示す図である。
【図１７】図９のステップＳ２において行われる他の編集処理について説明するフローチャートである。
【図１８】編集画面の他の例を示す図である。
【図１９】編集画面の他の例を示す図である。
【図２０】編集画面の他の例を示す図である。
【図２１】編集画面の他の例を示す図である。
【図２２】編集画面の他の例を示す図である。
【図２３】図９のステップＳ２において行われる他の編集処理について説明するフローチャートである。
【図２４】編集画面の他の例を示す図である。
【図２５】編集画面の他の例を示す図である。
【図２６】反転操作を説明する図である。
【図２７】編集画面の他の例を示す図である。
【図２８】編集画面の他の例を示す図である。
【図２９】編集画面の他の例を示す図である。
【図３０】編集画面の他の例を示す図である。
【図３１】文字おもて処理を説明する図である。
【図３２】編集画面の他の例を示す図である。
【図３３】文字うら処理を説明する図である。
【図３４】編集画面の他の例を示す図である。
【図３５】編集画面の他の例を示す図である。
【発明を実施するための形態】
【００２９】
図５は、本発明を適用した写真シール作成装置５１の外観構成例を示す斜視図である。
【００３０】
写真シール作成装置５１は、撮影作業や編集作業をゲームとして行わせる代わりに、利用者より代金を受け取るゲーム機であり、ゲームセンタなどの店舗に設置される。
【００３１】
写真シール作成装置５１の筐体６０は複数のユニットにより構成される。筐体６０を構成する第１ユニット６１と第２ユニット６２は所定の距離をあけて設置され、第１ユニット６１と第２ユニット６２の間に形成される空間の天井を構成する部材として天井部６３が設けられている。
【００３２】
第１ユニット６１の面のうちの第２ユニット６２に対向する面である正面６１ａにはカメラ７１や撮影画像表示用モニタ７２が設けられる。また、正面６１ａから突出して形成される部材の上面には撮影作業用モニタ７３が設けられ、その表示にしたがって利用者が撮影作業を行うことができるようになされている。すなわち、第１ユニット６１と第２ユニット６２に挟まれる空間が、写真シール作成装置５１の利用者が撮影を行う撮影空間となる。
【００３３】
写真シール作成装置５１を利用したゲームの一連の流れについては後述するが、利用者は、このようにして第１ユニット６１と第２ユニット６２の間に形成される撮影空間の中で、撮影画像表示用モニタ７２の表示を見ながらカメラ７１に向かって撮影を行う。撮影画像表示用モニタ７２には、カメラ７１により取り込まれている画像であるライブビューや、撮影結果の画像などが表示される。撮影作業用モニタ７３にはタッチパネルが重畳して設けられており、この撮影作業用モニタ７３には、撮影の案内や、撮影の開始を指示するときに操作されるボタンなどの、撮影作業に関する情報が表示される。
【００３４】
図６は、図５の写真シール作成装置５１を第１ユニット６１の背面６１ｂ側（正面６１ａの反対側）より見た斜視図である。
【００３５】
図６に示されるように、第１ユニット６１を挟んで、撮影空間が形成される位置の反対の位置には背面６１ｂに接する形で第３ユニット６４が設けられる。
【００３６】
第３ユニット６４を構成する面のうちの地面に対して垂直な面６４ａには照明８４が設けられ、この照明８４により、面６４ａの前方の空間が照射される。第３ユニット６４の斜面６４ｂには、編集用モニタ８１が設けられ、その左右にはタッチペン８２Ａ，８２Ｂが設けられる。面６４ｃにはスピーカ８３Ａ，８３Ｂが設けられる。
【００３７】
撮影空間での撮影を終えたとき、その撮影によって得られた画像に対して利用者は好みの文字や記号を入力するなどの編集を行うことができ、撮影画像の中から利用者によって選択された編集の対象となる画像がこの編集用モニタ８１に表示される。編集用モニタ８１には、編集の対象となる画像の他に、編集に用いる各種のツールを選択するときにタッチペン８２Ａ，８２Ｂによって操作されるボタンなども表示される。このように、第３ユニット６４の面のうちの面６４ａ，６４ｂ，６４ｃの前方が、利用者が画像の編集を行う編集空間となる。
【００３８】
以上のような構成は、第３ユニット６４の面６４ａ，６４ｂ，６４ｃが形成される側の反対側にも設けられている。したがって、写真シール作成装置５１には第３ユニット６４を挟んで２つの編集空間が設けられており、撮影作業を終えた２つの利用者のグループが、それぞれの編集空間において時間的に並行して編集作業を行うことができるようになされている。以下、適宜、第３ユニット６４の面６４ａ，６４ｂ，６４ｃの前方にある編集空間を第１編集空間といい、第３ユニット６４を挟んで第１編集空間の反対の位置にある編集空間を第２編集空間という。
【００３９】
第１ユニット６１の背面６１ｂに平行な面である第３ユニット６４の面６４ｄにはシール紙排出口８５が設けられている。このシール紙排出口８５から、編集済みの撮影画像が印刷されたシール紙が排出される。シール紙排出口８５の前方が、編集作業をも終えた利用者がシール紙が印刷されるのを待つ印刷待ち空間となる。
【００４０】
ここで、利用者の流れについて説明する。図７は、写真シール作成装置５１を上方から見た平面図であり、矢印が利用者の移動方向を示す。利用者は、画面表示や音声による案内にしたがって矢印に示されるようにして移動することになる。
【００４１】
これから写真シール作成装置５１を利用しようとする利用者Ａは、矢印＃1に示されるように、まず、撮影空間に入り、撮影作業用モニタ７３に表示される案内などにしたがって所定の金額分の硬貨を硬貨投入口（図示せず）に投入する。硬貨投入口に硬貨を投入したときに一連のゲームが開始され、撮影作業用モニタ７３には撮影作業に関する情報が表示される。
【００４２】
利用者Ａが撮影作業用モニタ７３に表示された情報に従って所定の作業し、カメラ７１による撮影作業を終えたとき、第１編集空間と第２編集空間のうちのいずれか一方への移動の案内が撮影作業用モニタ７３による画面表示や、スピーカからの音声によって行われるから、撮影を終えた利用者Ａはその案内にしたがって撮影空間から編集空間に移動し、そこで編集作業を行う。図７の例においては、第１編集空間への移動が利用者Ａに対して案内されており、利用者Ａは、その案内にしたがって、矢印＃2に示されるように第１編集空間に移動している。
【００４３】
第１編集空間の編集用モニタ８１には編集作業に関する情報が表示される。利用者Ａが編集用モニタ８１に表示された情報に従って所定の作業し、編集作業を終えたとき、利用者Ａは矢印＃3に示されるようにしてシール紙排出口８５の前方の印刷待ち空間に移動し、編集済みの画像が印刷されたシール紙がシール紙排出口８５から排出されるのを待つ。
【００４４】
シール紙排出口８５に排出されたシール紙を受け取ることによって一連のゲームが終了される。
【００４５】
以上のような流れによって行われる撮影作業と編集作業には、利用者の流れを確保するために、それぞれ例えば３分などのように制限時間があらかじめ設定されている。
【００４６】
図８は、写真シール作成装置５１の内部の構成例を示すブロック図である。上述した構成と同じ構成には同じ符号を付してある。重複する説明については適宜省略する。
【００４７】
写真シール作成装置５１の制御装置１０１には、記憶部１０２、撮影部１０３、編集部１０４，１０５、IDタグリーダ/ライタ１０６、プリンタ１０８、ROM(Read Only Memory)１０９、およびRAM(Random Access Memory)１１０が接続される。
【００４８】
制御装置１０１は、ROM１０９に記憶されているプログラムや、記憶部１０２に記憶され、RAM１１０にロードされたプログラムにしたがって各部を制御し、写真シール作成装置５１全体の動作を制御する。
【００４９】
記憶部１０２は、ハードディスクやフラッシュメモリ等により構成され、制御装置１０１により実行されるプログラムや一連のゲームで参照される設定情報などを記憶する。撮影作業が行われたとき、後に編集の対象とされる撮影済みの画像のデータなども記憶部１０２には記憶される。
【００５０】
撮影部１０３は、カメラ７１、撮影画像表示用モニタ７２、撮影作業用モニタ７３、照明装置１２１、および音声出力部１２２から構成され、この撮影部１０３により撮影空間における撮影作業が実現される。
【００５１】
カメラ７１は、制御装置１０１による制御にしたがってCMOS(Complementary Metal Oxide Semiconductor)イメージセンサ等の撮像素子により被写体（利用者）の動画像を撮影し、撮影して得られた画像のデータをライブビュー表示用のデータとして制御装置１０１に出力する。
【００５２】
また、カメラ７１は、利用者により撮影が指示されたときに行われる制御装置１０１による制御にしたがって撮影を行い、撮影して得られた画像のデータを、撮影結果の画像データとして制御装置１０１に出力する。撮影作業においては複数回の撮影が繰り返し行われ、このようにしてカメラ７１により撮影された画像の中から選択された所定の枚数の画像が編集対象の画像とされる。
【００５３】
撮影画像表示用モニタ７２はLCDなどにより構成され、制御装置１０１から供給されたライブビュー信号に基づいて、カメラ７１により取り込まれている動画を表示する。
【００５４】
撮影作業用モニタ７３は、制御装置１０１による制御にしたがって、撮影の仕方を案内する画面や、編集対象とする画像の選択画面などを表示させる。
【００５５】
照明装置１２１は、制御装置１０１から供給される照明制御信号にしたがって発光し、カメラ７１による撮影タイミングにあわせて、撮影空間にいる利用者を照射する。
【００５６】
音声出力部１２２は、制御装置１０１から供給される音声信号にしたがって、撮影空間にいる利用者に向けて音声による案内をスピーカから出力させる。
【００５７】
編集部１０４は、編集用モニタ８１、タッチパネル１３１、および音声出力部１３２から構成され、この編集部１０４により第１編集空間における編集作業が実現される。
【００５８】
タッチパネル１３１は編集用モニタ８１に重畳して設けられ、タッチペン８２Ａ，８２Ｂを用いて行われる利用者の操作を検出し、利用者の操作に応じた信号を制御装置１０１に出力する。
【００５９】
音声出力部１３２は、制御装置１０１から供給される音声信号にしたがって、第１編集空間にいる利用者に向けて音声による案内を出力する。
【００６０】
編集部１０５も編集部１０４と同様の構成（編集用モニタ、タッチパネル、音声出力部）を有している。編集部１０５により、第２編集空間における編集作業が実現される。
【００６１】
IDタグリーダ/ライタ１０６は、制御装置１０１による制御にしたがって、シール紙ユニット１０７に貼り付けられているIDタグ１４１に設定情報を書き込んだり、IDタグ１４１に記憶されている設定情報を読み出す。IDタグ１４１からは、例えばIDタグ１４１に記憶されている識別情報なども設定情報として読み出され、制御装置１０１に出力される。制御装置１０１においては、IDタグリーダ/ライタ１０６から通知された識別情報に基づいて、装着されているシール紙ユニット１０７が写真シール作成装置５１において使用可能なユニット（純正のユニット）であるか否かが判定され、使用可能なユニットであると判定されたときのみ、その使用が可能とされる。
【００６２】
シール紙ユニット１０７は、写真シール作成装置５１に対して着脱可能になっており、IDタグリーダ/ライタ１０６が読み取り可能な所定の位置にはIDタグ１４１が貼り付けられる。シール紙ユニット１０７にはシール紙１４２が装填されている。
【００６３】
プリンタ１０８は、利用者により編集が施されて作成された画像のデータが印刷データとして制御装置１０１から供給されたとき、シール紙ユニット１０７に収納されているシール紙１４２に画像を印刷し、印刷したシール紙１４２をシール紙排出口８５に排出する。
【００６４】
ROM１０９とRAM１１０は、制御装置１０１が実行するプログラムや、制御装置１０１が処理を行う上で必要なデータを記憶する。
【００６５】
次に、図９のフローチャートを参照して、ユーザの編集作業に対応して実行される編集処理を説明する。
【００６６】
ステップＳ１において、制御装置１０１は、編集部１０４または編集部１０５を介して、編集画面を編集用モニタ８１に表示し、ステップＳ２において、その編集画面に対する利用者の操作に応じた編集処理を実行する。この処理の詳細は、図１０のフローチャートに示されている。なおここでは、スタンプツールによる編集処理について説明する。
【００６７】
ステップＳ１１において、制御装置１０１は、編集部１０４または編集部１０５を介して、図１１に示すような、スタンプ画像選択部２１４および度合い選択部２１５を含むスタンプツール編集用の編集画面２０１を編集用モニタ８１に表示する。
【００６８】
この編集画面２０１のサムネイル画像表示部２１１には、編集対象の画像の候補となる撮像画像がサムネイル表示され、その画像をタッチペン８２等で操作することができる。
【００６９】
編集対象画像表示部２１２には、利用者によりサムネイル画像表示部２１１に表示された画像から選択された画像が編集対象画像として表示される。
【００７０】
編集ツール選択部２１３には、ペン、スタンプ、およびフレーム等の各種の編集ツールを選択するときに操作されるボタンが表示される。この例の場合、スタンプツールが選択されている。
【００７１】
スタンプ画像選択部２１４には、スタンプ画像が表示されたボタンが並んで表示され、そのボタンをタッチペン８２等で操作することができる。図１１の例では、「笑顔」、「ハート」、[星]、「水滴」、「十字架」、「ひし形」等の１２種類のデザインのスタンプ画像が表示されているボタンが設けられている。
【００７２】
度合い選択部２１５には、スタンプ画像を構成する要素（例えば、大きさ、濃淡、輪郭の太さ）毎に、その度合いを示すボタンが設けられ、そのボタンをタッチペン８２等で操作することができる。
【００７３】
図１１の例では、スタンプ画像の大きさを５段階の度合いで示すボタン群２１５ａ、スタンプ画像の濃淡を５段階の度合いで示すボタン群２１５ｂ、スタンプ画像の輪郭の太さを５段階の度合いで示すボタン群２１５ｃ、およびスタンプ画像の６種類の色合いを示すボタン群２１５ｄが設けられている。
【００７４】
消しゴムボタン２１６は、例えば編集対象画像表示部２１２に表示された画像の絵柄を修正するときに操作させるボタンである。
【００７５】
やり直しボタン２１７は、例えばいま行った編集（例えばスタンプ画像の選択）を取り消すときに操作されるボタンである。
【００７６】
はじめからやり直しボタン２１８は、例えばいままで行ったすべての編集を最初から取り消すときに操作されるボタンである。
【００７７】
なお図９のステップＳ１の段階で表示される編集画面２０１には、スタンプ画像選択部２１４および度合い選択部２１５は表示されておらず、編集ツール選択部２１３のスタンプツールに対応するボタンが操作されたとき、図１０のステップＳ１１で、スタンプ画像選択部２１４および度合い選択部２１５が設けられた編集画面２０１が表示される。
【００７８】
次にステップＳ１２において、制御装置１０１は、スタンプ画像が選択されたか否かを判定し、選択されたと判定した場合、ステップＳ１３に進む。
【００７９】
図１２に示すように、利用者がタッチペン８２でスタンプ画像選択部２１４のボタンを操作すると、操作されたボタンに表示されたスタンプ画像が選択され、ステップＳ１３に進む。
【００８０】
ステップＳ１３において、制御装置１０１は、選択されたスタンプ画像の色、大きさ、濃淡、および輪郭の太さがそれぞれ所定のものとなっている初期状態のスタンプ画像を生成する。なおこのとき制御装置１０１は、初期状態の各要素の度合いに対応する度合い選択部２１５のボタンを他のボタンと異なる形態で表示する。
【００８１】
いまの場合、初期状態として、大きさが第３段目の大きさ、濃淡が第３段目の濃淡、輪郭の太さが第３段目の太さで、赤色のスタンプ画像が生成されるので、図１２に示すように、その度合いに対応する度合い選択部２１５のボタンには、影が付されて表示される。
【００８２】
ステップＳ１４において、制御装置１０１は、スタンプ画像の貼り付け位置が指定されたか否かを判定し、指定されたと判定した場合、ステップＳ１５に進む。
【００８３】
図１３に示すように、利用者がタッチペン８２で編集対象画像表示部２１２に表示された編集対象画像上の任意の位置をタッチすると、スタンプ画像の貼り付け位置が指定されたとして、ステップＳ１５に進む。
【００８４】
ステップＳ１５において、制御装置１０１は、指定されたスタンプ画像の貼り付け位置（タッチペン８２でタッチされた画面上の座標情報）を読み取り、ステップＳ１６において、読み取った座標を、スタンプ画像の貼り付け位置に確定する。
【００８５】
次にステップＳ１７において、制御装置１０１は、スタンプ画像をステップＳ１６で確定して位置に貼り付けて表示する。
【００８６】
図１３に示すように、タッチペン８２で指定された編集対象画像上の位置に、初期状態のスタンプ画像が貼り付けられて表示される。
【００８７】
ただしこの時点では、スタンプ画像は確定しておらず、次に説明するように、継続して選択されたスタンプ画像の色等の要素を変更することができる。
【００８８】
ステップＳ１８において、制御装置１０１は、度合い選択部２１５が操作されたか否かを判定し、操作されたと判定した場合、ステップＳ１９に進む。
【００８９】
例えば図１４に示すように、度合い選択部２１５のボタン群２１５ａの第５段目の度合いを示すボタンが操作された場合、また図１５に示すように、度合い選択部２１５のボタン群２１５ｃの第５段目の度合いを示すボタンが操作された場合、ステップＳ１９に進む。
【００９０】
ステップＳ１９において、制御装置１０１は、編集対象画像上に表示されているスタンプ画像の表示を、ステップＳ１８で操作されたボタンに応じた要素の度合いに変更する。その結果、図１４の例では、「ハート」のスタンプ画像が大きくなり、図１５の例では、「ハート」のスタンプ画像の輪郭の太さが太くなって表示される。なおこのとき制御装置１０１は、図１４または図１５に示すように、ステップＳ１８で選択されたボタンを他のボタンと異なる形態で表示する。
【００９１】
ステップＳ２０において、制御装置１０１は、度合い選択部２１５以外が操作されたか否かを判定し、度合い選択部２１５以外が操作されたと判定した場合、ステップＳ２１に進み、スタンプ画像を確定し、ステップＳ２２において、そのスタンプ画像を、編集対象画像上のステップＳ１６で確定した位置に貼り付けて合成し、編集済み画像を生成する。
【００９２】
ステップＳ１２で、スタンプ画像が選択されてないと判定された場合、またはステップＳ１４で、スタンプ画像の貼り付け位置が指定されていないと判定された場合、ステップＳ２３に進み、制御装置１０１は、編集処理が開始されてから所定の時間経過したか否かを判定し、経過していないと判定した場合、ステップＳ１２戻り、それ以降の処理を同様に行う。
【００９３】
ステップＳ２０で、度合い選択部２１５以外が操作されていないと判定された場合、ステップＳ２４に進み、制御装置１０１は、編集処理が開始されてから所定の時間経過したか否かを判定し、経過していないと判定した場合、ステップＳ１８に戻り、それ以降の処理を同様に実行する。
【００９４】
すなわち続けて度合い選択部２１５の他のボタンを操作することにより、スタンプ画像を順次変更することができる。
【００９５】
例えば図１４に示したように、ボタン群２１５ａの第５段目の大きさを示すボタンを操作した後、図１６に示すように、ボタン群２１５ｃの第５段目の太さを示すボタンをさらに操作すれば、「ハード」のスタンプ画像を大きくするとともに、その輪郭を太くすることができる。
【００９６】
ステップＳ２３またはステップＳ２４で、所定の時間が経過したと判定された場合、ステップＳ２１に進み、その時点でスタンプ画像が確定され（スタンプ画像が選択されていない場合、または指定位置が確定していない場合は、スタンプ画像が存在しないものとして）、ステップＳ２２で、編集済み画像が生成される。
【００９７】
このように編集済み画像が生成されると、図９のステップＳ３に進み、制御装置１０１は、編集用モニタ８１から編集画面２０１を消去して、編集入力の受け付けを終了し、ステップＳ４において、印刷待ち空間への移動を促す移動案内画面を編集用モニタ８１に表示する。ステップＳ２で生成された編集済み画像は、プリンタ１０８によって、シール紙１４２に印刷され、シール紙排出口８５から排出される。
【００９８】
その後、編集処理は終了する。
【００９９】
以上のように、スタンプ画像が確定される前に（ステップＳ２１）、スタンプ画像を編集対象画像上に表示しながら繰り返し変更することができるようにしたので（ステップＳ１８乃至ステップＳ２０）、やり直しボタン２１７を操作して選択したスタンプ画像を取り消すなどの手順を踏まなくても、スタンプ画像と編集対象画像との重なり具合を確認しつつスタンプ画像を変更することができ、イメージに合ったスタンプ画像を選択することができる。
【０１００】
スタンプ編集処理（図９のステップＳ２）の他の例を、図１７のフローチャートを参照して説明する。
【０１０１】
ステップＳ４１において、制御装置１０１は、図１１に示したような、スタンプ画像選択部２１４および度合い選択部２１５が設けられた編集画面２０１を、編集用モニタ８１に表示する。
【０１０２】
ステップＳ４２において、制御装置１０１は、スタンプ画像が選択されたか否かを判定し、選択されたと判定した場合、ステップＳ４３に進む。
【０１０３】
図１８に示すように、利用者がタッチペン８２でスタンプ画像選択部２１４のボタンを操作すると、操作されたボタンに表示されているスタンプ画像が選択され、ステップＳ４３に進む。
【０１０４】
ステップＳ４３において、制御装置１０１は、選択されたスタンプ画像の色、大きさ、濃淡、および輪郭の太さがそれぞれ所定のものとなっている初期状態のスタンプ画像を生成する。なおこのとき制御装置１０１は、初期状態のスタンプ画像の各要素の度合いに対応する度合い選択部２１５のボタンを他のボタンと異なる形態で表示する。
【０１０５】
いまの場合、初期状態として、大きさが第３段階目の大きさ、濃淡が第３段目の濃淡、輪郭の太さが第３段目の太さで、赤色のスタンプ画像が生成されるので、図１８に示すように、その度合いに対応する度合い選択部２１５のボタンには、影が付されて表示される。
【０１０６】
ステップＳ４４において、制御装置１０１は、操作されたスタンプ画像選択部２１４のボタンに対応する位置にプレビュー表示部３０１を設定し、それにステップＳ４３で生成したスタンプ画像を表示する。
【０１０７】
例えば図１８に示すように、タッチペン８２により操作された「ハート」のスタンプ画像のボタンに対応する位置にプレビュー表示部３０１が設定され、そこに初期状態の「ハード」のスタンプ画像が表示される。
【０１０８】
図１８では、プレビュー表示部３０１が、スタンプ画像選択部２１４の領域に表示されている。すなわち編集対象画像表示部２１２および度合い選択部２１５の領域以外の編集画面２０１の領域に表示されている。これにより、スタンプ画像を変更させて確定した後、貼り付け位置を決定することができる。また、プレビュー表示部３０１を度合い選択部２１５の領域以外の編集画面２０１の領域に表示するように設定してもよい。この場合、好ましくはプレビュー表示部３０１を半透明にして、編集対象画像表示部２１２が見られるようにしてもよい。
【０１０９】
次にステップＳ４５において、制御装置１０１は、度合い選択部２１５が操作されたか否かを判定し、操作されたと判定した場合、ステップＳ４６に進む。
【０１１０】
例えば図１９に示すように、度合い選択部２１５のボタン群２１５ａの第５段目の度合いを示すボタンが操作された場合、また図２０に示すように、度合い選択部２１５のボタン群２１５ｃの第５段目の度合いを示すボタンが操作された場合、ステップＳ４６に進む。
【０１１１】
ステップＳ４６において、制御装置１０１は、プレビュー表示部３０１に表示されているスタンプ画像の表示を、ステップＳ４５で操作されたボタンに応じた要素の度合いに変更する。その結果、図１９の例では、「ハート」のスタンプ画像が大きくなり、図２０の例では、「ハート」のスタンプ画像の輪郭の太さが太くなって表示される。なおこのとき制御装置１０１は、図１９または図２０に示すように、ステップＳ４５で選択されたボタンを他のボタンと異なる形態で表示する。
【０１１２】
ステップＳ４６で、スタンプ画像が変更されたとき、またはステップＳ４５で度合い選択部２１５が操作されていないと判定されたとき、ステップＳ４７において、制御装置１０１は、スタンプ画像の貼り付け位置が指定されたか否かを判定し、指定されたと判定した場合、ステップＳ４８に進む。
【０１１３】
図２１に示すように、利用者がタッチペン８２で編集対象画像表示部２１２に表示された編集対象画像上の任意の位置をタッチすると、スタンプ画像の貼り付け位置が指定されたとして、ステップＳ４８に進む。
【０１１４】
ステップＳ４８において、制御装置１０１は、指定されたスタンプ画像の貼り付け位置（タッチペン８２でタッチされた画面上の座標情報）を読み取る。
【０１１５】
ステップＳ４９において、制御装置１０１は、スタンプ画像の貼り付け位置とスタンプ画像を確定する。
【０１１６】
ステップＳ５０において、制御装置１０１は、プレビュー表示部３０１を消去する。
【０１１７】
ステップＳ５１において、制御装置１０１は、確定したスタンプ画像を、確定した編集対象画像上の位置に貼り付けて合成して表示するとともに（図２１）、編集済み画像を生成する。
【０１１８】
ステップＳ４２で、スタンプ画像が選択されてないと判定された場合、またはステップＳ４７で、スタンプ画像の貼り付け位置が指定されていないと判定された場合、ステップＳ５２に進み、制御装置１０１は、編集処理が開始されてから所定の時間経過したか否かを判定し、経過していないと判定した場合、ステップＳ４２戻り、それ以降の処理を同様に行う。
【０１１９】
すなわちスタンプ画像の貼り付け位置が確定する前であれば（ステップＳ４８）、続けて度合い選択部２１５の他のボタンを操作することにより、スタンプ画像を順次変更することができる。
【０１２０】
例えば図１９に示したように、ボタン群２１５ａの第５段目の大きさを示すボタンを選択した後、図２２に示すように、ボタン群２１５ｃの第５段目の太さを示すボタンをさらに操作すれば、「ハート」のスタンプ画像を大きくするとともに、その輪郭を太くすることができる。
【０１２１】
このように編集済み画像が生成されると、図９のステップＳ３に進み、制御装置１０１は、編集用モニタ８１から編集画面２０１を消去して、編集入力の受け付けを終了し、ステップＳ４において、印刷待ち空間への移動を促す移動案内画面を編集用モニタ８１に表示する。
【０１２２】
その後、編集処理は終了する。
【０１２３】
すなわちこの例の場合、スタンプ画像を変更させた後（ステップＳ４６）、貼り付け位置を指定することができる（ステップＳ４７）。
【０１２４】
なお従来の編集画面１（図１）には、６種類のデザインのスタンプ画像が、３種類の大きさ分表示されていたが、本願発明に係る編集画面２０１では、デザインの異なるスタンプ画像を表示すればよいので、より多くの種類のデザイン（図１１の例では、１２種類のデザイン）のスタンプ画像を表示することができ、利用者の満足度を向上させることができる。
【０１２５】
また従来の編集画面１と同じ選択条件（６種類のデザインのそれぞれについて、大きさの異なる３種類の選択が可能な選択条件）とすると、図１１の編集画面２０１の例の場合、ボタン群２１５ｂ、ボタン群２１５ｃ、ボタン群２１５ｄ、およびスタンプ画像選択部２１４の縦1列分のスタンプ画像が不要となるので、その領域を利用して、編集対象画像表示部２１２の領域を大きくすることができ、利用者の利便性を向上させることができる。
【０１２６】
なお以上においては、スタンプ画像による編集を例として説明したが、編集において編集用画像を用いるものであれば、例えばフレーム画像による編集においても本願発明を適用することができる。すなわち編集ツール選択部２１３でフレームツールが選択された場合、スタンプ画像選択部２１４に代えてフレーム画像選択部が表示されるとともに、フレーム画像に対応する度合い選択部２１５が表示され、フレーム画像選択部を操作してフレーム画像を選択することができるとともに、度合い選択部２１５を操作してフレーム画像の度合いを変更することができる。
【０１２７】
スタンプ編集処理（図９のステップＳ２）の他の例を、図２３のフローチャートを参照して説明する。
【０１２８】
ステップＳ７１において、制御装置１０１は、図１１に示したような、スタンプ画像選択部２１４および度合い選択部２１５が設けられた編集画面２０１を、編集用モニタ８１に表示する。
【０１２９】
ステップＳ７２において、制御装置１０１は、スタンプ画像が選択されたか否かを判定し、選択されていないと判定した場合、ステップＳ７３に進み、ステップＳ７１で編集画面２０１が表示されてから所定の時間経過したか否かを判定し、所定の時間経過していないと判定した場合、ステップＳ７２に戻る。
【０１３０】
ステップＳ７２で、スタンプ画像が選択されたと判定された場合、ステップＳ７４に進む。
【０１３１】
例えば図２４に示すように、タッチペン８２でスタンプ画像選択部２１４のボタン（図２４の例では、「月」のスタンプ画像が表示されているボタン」）が操作されると、操作されたボタンに表示されているスタンプ画像（図２４の例では、「月」のスタンプ画像）が選択され、ステップＳ７４に進む。
【０１３２】
ステップＳ７４において、制御装置１０１は、図２４に示すように、選択されたスタンプ画像が表示されているスタンプ画像選択部２１４のボタンに、このスタンプ画像がいま選択されていることを示す選択枠２１４Ａを表示する。
【０１３３】
次に、ステップＳ７５において、制御装置１０１は、いま選択されているスタンプ画像を反転させる操作（以下、反転操作と称する）がなされたか否かを判定し、反転操作がなされたと判定した場合、ステップＳ７６に進み、いま選択されているスタンプ画像を反転させる。
【０１３４】
この例の場合、いま選択されているスタンプ画像のスタンプ画像選択部２１４のボタン上の表示が左右方向に反転され、利用者がスタンプ画像の状態を把握できるようになされている。
【０１３５】
例えばタッチペン８２による、いま選択されているスタンプ画像が表示されているスタンプ画像選択部２１４のボタン（すなわち選択枠２１４Ａが表示されているボタン）への操作は、反転操作とされ、その操作前のスタンプ画像が左右反転され、図２４の例の場合、図２５に示すように、「月」のスタンプ画像のボタン上の表示が左右反転される。
【０１３６】
このように選択されているスタンプ画像が表示されているスタンプ画像選択部２１４上のボタンを操作することにより、図２６に示すように、選択されているスタンプ画像の左右方向の向きを変更することができる。
【０１３７】
ステップＳ７６で、いま選択されているスタンプ画像が反転されたとき、またはステップＳ７５で反転操作がなされていないと判定されたとき、ステップＳ７７に進み、制御装置１０１は、ステップＳ７１で編集画面２０１が表示されてから所定の時間経過したか否かを判定し、所定の時間経過していないと判定した場合、ステップＳ７８に進む。
【０１３８】
ステップＳ７８において、制御装置１０１は、さらにスタンプ画像が選択されたか否かを判定し、選択されたと判定した場合、ステップＳ７４に戻り、それ以降の処理を同様に実行する。
【０１３９】
すなわち図２４および図２５の例では、「月」のスタンプ画像が選択されていたが、その「月」のスタンプ画像に代えて、他のスタンプ画像を選択することができる。
【０１４０】
ステップＳ７８で、スタンプ画像が選択されていないと判定された場合、ステップＳ７９に進み、制御装置１０１は、スタンプ画像の貼り付け位置が指定されたか否かを判定する。
【０１４１】
ステップＳ７９で、まだスタンプ画像の貼り付け位置が指定されていないと判定された場合、ステップＳ７５に戻り、制御装置１０１は、それ以降の処理を同様に実行する。
【０１４２】
すなわち、いま選択されているスタンプ画像をさらに左右反転することもできるし（ステップＳ７５）、他のスタンプ画像を選択することもできる（ステップＳ７８を介して行われるステップＳ７４）。
【０１４３】
ステップＳ７９で、スタンプ画像の貼り付け位置が指定されたと判定されたとき、ステップＳ８０に進む。
【０１４４】
図２７に示すように、利用者がタッチペン８２で編集対象画像表示部２１２に表示された編集対象画像上の任意の位置をタッチすると、スタンプ画像の貼り付け位置が指定されたとして、ステップＳ８０に進む。
【０１４５】
ステップＳ８０において、制御装置１０１は、選択されたスタンプ画像の反転操作に応じた状態の、色、大きさ、濃淡、および輪郭の太さがそれぞれ所定のものとなっている初期状態のスタンプ画像を生成する。
【０１４６】
次に、ステップＳ８１において、制御装置１０１は、指定されたスタンプ画像の貼り付け位置（タッチペン８２でタッチされた画面上の座標情報）を読み取り、スタンプ画像の貼り付け位置を確定する。
【０１４７】
ステップＳ８２において、制御装置１０１は、タッチペン８２で指定された編集対象画像上の位置に、ステップＳ８０で生成したスタンプ画像（すなわち選択されたスタンプ画像の反転操作に応じた状態の初期状態のスタンプ画像）を貼り付けて合成し表示する（図２７）。
【０１４８】
次にステップＳ８３において、制御装置１０１は、度合い選択部２１５が操作されたか否かを判定し、操作されたと判定した場合、ステップＳ８４に進む。
【０１４９】
ステップＳ８４において、制御装置１０１は、編集対象画像上に表示されているスタンプ画像の表示を、ステップＳ８３で操作されたボタンに応じた要素の度合いに変更する。
【０１５０】
ステップＳ８３で、度合い選択部２１５が選択されていないと判定された場合、またはステップＳ８４で度合い選択部２１５に対する操作に応じてスタンプ画像の表示が変更されたとき、ステップＳ８５に進む。
【０１５１】
ステップＳ８５において、制御装置１０１は、ステップＳ７１で編集画面２０１が表示されてから所定の時間経過したか否かを判定し、経過していないと判定した場合、ステップＳ８６に進む。
【０１５２】
ステップＳ８６において、制御装置１０１は、スタンプ画像が選択されたか否かを判定し、選択されたと判定した場合、ステップＳ７４に戻り、それ以降の処理を同様に実行する。
【０１５３】
すなわち選択したスタンプ画像を編集対象画像上に表示させた後でも（ステップＳ８２）、さらに他のスタンプ画像を選択し、反転操作や度合い選択部２１５への操作に応じたスタンプ画像を編集対象画像上に表示させることができる。
【０１５４】
例えば図２７に示したように、図に向かって、右方向を向いている「月」のスタンプ画像が編集対象画像上に表示された後に、図２８に示すように、「月」のスタンプ画像を選択し、反転操作を行うことにより、図２９に示すように、左方向を向いている「月」のスタンプ画像をさらに表示させることができる。
【０１５５】
図２３に戻りステップＳ８６で、スタンプ画像が選択されていないと判定された場合、ステップＳ８７に進み、制御装置１０１は、編集処理を終了させる操作（例えば、図示せぬ終了ボタンに対する操作）がなされたか否かを判定し、そのような操作がなされていないと判定した場合、ステップＳ８３に戻り、それ以降の処理を同様に実行する。
【０１５６】
ステップＳ７３、ステップＳ７７、若しくはステップＳ８５で、所定の時間経過したと判定された場合、またはステップＳ８７で、編集処理を終了させる操作がなされたと判定された場合、ステップＳ８８に進み、制御装置１０１は、その時点のスタンプ画像を確定し、ステップＳ８９において、編集済み画像を生成する。
【０１５７】
その後、編集処理は終了する。
【０１５８】
なお以上においては、スタンプ画像を左右反転させるために、スタンプ画像の左右反転した状態の２つの画像をそれぞれ保持しておき、それらを利用することもできるし、１つの状態の画像を保持しておき、反転操作に応じて保持している１つの画像を座標変換して利用することもできる。
【０１５９】
また以上においてはスタンプ画像が、所定の操作により左右方向に反転するようにしたが、上下方向に反転させたり、または一定の角度を持って上下左右方向に反転させることもできる。
【０１６０】
また同じボタンを繰り返し操作（押下）することによって、スタンプ画像を反転させることができるものとしたが、他の操作によってスタンプ画像を反転させることができるようにしてもよい。
【０１６１】
また以上においては、スタンプ画像選択部２１４上において、反転操作に応じたスタンプ画像を表示させてから、そのスタンプ画像を編集対象画像上に表示させるようにしたが、編集対象画像上にスタンプ画像を表示させてから、その表示を左右反転することができるようにもできる。
【０１６２】
また反転させて表示したスタンプ画像を、所定の操作を行うことにより、いつでも最初の状態のスタンプ画像に戻すことができるようにすることもできる。
【０１６３】
次に、編集画面２０１の他の例を、図３０を参照して説明する。この編集画面２０１には、文字おもてボタン３０１および文字うらボタン３０２がさらに設けられている。
【０１６４】
文字おもてボタン３０１を選択して、図３１に示すように、編集対象画像上に重なるように、スタンプ画像Ｐ、スタンプ画像Ｑ、およびスタンプ画像Ｒの順番で選択すると、図中上から下方向（図中、矢印の方向）の視線において、編集対象画像およびスタンプ画像の点線で示されている部分が見えないように合成されて表示される。すなわち上に重なるようにスタンプ画像が合成されて表示される。
【０１６５】
さらに具体的には、図３０に示すように、編集対象画像上に「ハート」のスタンプ画像が選択されている状態において、文字おもてボタン３０１を操作し、「月」のスタンプ画像を、「ハート」のスタンプ画像に重なる位置に表示されるように選択した場合、図３２に示すように、後に選択された「月」のスタンプ画像が先に選択された「ハート」のスタンプ画像の上に重なるように合成されて表示される。
【０１６６】
一方文字うらボタン３０２を選択して、図３３に示すように、スタンプ画像Ｐ、スタンプ画像Ｑ、およびスタンプ画像Ｒの順番で選択すると、図中上から下方向（図中、矢印の方向）の視線において、編集対象画像およびスタンプ画像の点線で示されている部分が見えないように合成されて表示される。すなわち先に選択されたスタンプ画像の裏に重なるようにスタンプ画像が合成されて表示される。
【０１６７】
さらに具体的には、図３０に示すように、編集対象画像上に「ハート」のスタンプ画像が選択されている状態において、文字うらボタン３０２を操作し、「月」のスタンプ画像を、「ハート」のスタンプ画像に重なる位置に表示されるように選択した場合、図３４に示すように、後に選択された「月」のスタンプ画像が先に選択された「ハート」のスタンプ画像のうらに重なるように合成されて表示される。
【０１６８】
なお図３１および図３３は、編集対象画像上に重なるように、スタンプ画像Ｐ、スタンプ画像Ｑ、およびスタンプ画像Ｒが選択された場合の断面を模式的に示したものである。
【０１６９】
図３１乃至図３４では、スタンプ画像を例として説明したが、文字やフレーム画像において同様にして合成される。
【０１７０】
次に、編集画面２０１の他の例を、図３５を参照して説明する。この編集画面２０１には、図１１に示したサムネイル画像表示部２１１乃至はじめからやり直しボタン２１８が、それぞれ２組分設けられている（図中、1つの組の各部の符号には、−１と、他の組の各部の符号には、−２が付されている）。
【０１７１】
このような編集画面２０１を設けることにより、利用者が複数いる場合、それぞれの利用者が独自に編集処理を行うことができる。
【０１７２】
また、上述した各ステップの処理は、記載された順序に沿って時系列的に行われる処理はもちろん、必ずしも時系列的に処理されなくとも、並列的あるいは個別に実行される処理をも含むものである。
【符号の説明】
【０１７３】
５１  写真シール作成装置
６０  筐体
６１  第１ユニット
６２  第２ユニット
６４  第３ユニット
１０１  制御装置
１０４  編集部
２１４  スタンプ選択部
２１４Ａ  選択枠
２１５  度合い選択部
３０１  文字おもてボタン
３０２  文字うらボタン
【図１】
2011166799.tif 000003
【図２】
2011166799.tif 000004
【図３】
2011166799.tif 000005
【図４】
2011166799.tif 000006
【図５】
2011166799.tif 000007
【図６】
2011166799.tif 000008
【図７】
2011166799.tif 000009
【図８】
2011166799.tif 000010
【図９】
2011166799.tif 000011
【図１０】
2011166799.tif 000012
【図１１】
2011166799.tif 000013
【図１２】
2011166799.tif 000014
【図１３】
2011166799.tif 000015
【図１４】
2011166799.tif 000016
【図１５】
2011166799.tif 000017
【図１６】
2011166799.tif 000018
【図１７】
2011166799.tif 000019
【図１８】
2011166799.tif 000020
【図１９】
2011166799.tif 000021
【図２０】
2011166799.tif 000022
【図２１】
2011166799.tif 000023
【図２２】
2011166799.tif 000024
【図２３】
2011166799.tif 000025
【図２４】
2011166799.tif 000026
【図２５】
2011166799.tif 000027
【図２６】
2011166799.tif 000028
【図２７】
2011166799.tif 000029
【図２８】
2011166799.tif 000030
【図２９】
2011166799.tif 000031
【図３０】
2011166799.tif 000032
【図３１】
2011166799.tif 000033
【図３２】
2011166799.tif 000034
【図３３】
2011166799.tif 000035
【図３４】
2011166799.tif 000036
【図３５】
2011166799.tif 000037